(57)【要約】      （修正有）【課題】理美容鋏等の理美容道具の出し入れを、ホルダー部の固定部と干渉することなく且つ自然な手首の角度で行うことができる、使い心地のよい、理美容道具のためのホルダー装置を提供する。【解決手段】理美容道具のためのホルダー装置３００であって、使用時に使用者の身体側に配置される内側表面と、外側表面４０とを有する基板部３０と、基板部３０に固定され、基板部３０の外側表面４０を少なくとも部分的に覆うように配置されるカバー部３２と、基板部３０の外側表面４０とカバー部３２との間に配置される部分を含む筒状のホルダー部３４と、を備えており、ホルダー部３４は、カバー部３２に固定される固定部４８と、理美容道具を保持する保持空間を画定する保持部５２と、を有し、使用時に、保持部５２が、固定部４８に対して使用者の身体の背面に近い側に位置する。【選択図】図２
0003220990.tif 000002
【実用新案登録請求の範囲】
【請求項１】
理美容道具のためのホルダー装置であって、
使用時に使用者の身体側に配置される内側表面と、外側表面とを有する基板部と、
前記基板部に固定され、前記基板部の前記外側表面を少なくとも部分的に覆うように配置されるカバー部と、
前記基板部の前記外側表面と前記カバー部との間に配置される部分を含む筒状のホルダー部と、を備えており、
前記ホルダー部は、前記カバー部に固定される固定部と、理美容道具を保持する保持空間を画定する保持部と、を有し、
使用時に、前記保持部が、前記固定部に対して使用者の身体の背面に近い側に位置する、ホルダー装置。
【請求項２】
請求項１に記載のホルダー装置であって、前記保持空間は、理美容道具の挿入方向に先細りする部分を有する、ホルダー装置。
【請求項３】
請求項１または２に記載のホルダー装置であって、
前記保持部は、前記保持空間に挿入された理美容道具を長さ方向に案内する案内面を有しており、
前記案内面は、使用時に鉛直方向に対して使用者の身体の前面側に傾斜するように下方に延びている、ホルダー装置。
【請求項４】
請求項１〜３のいずれか一項に記載のホルダー装置であって、
前記カバー部は、前記ホルダー部の下端部より下側の位置まで延びている、ホルダー装置。
【考案の詳細な説明】
【技術分野】
【０００１】
本考案は、特に理美容鋏を保持するのに好適に使用される、携帯用のホルダー装置に関する。
【背景技術】
【０００２】
理容師または美容師は、業務中に各種の理美容鋏、櫛等（以下、理美容道具）を持ち運ぶために、通常、携帯用のシザーケースを使用する。従来のシザーケースは、例えば、ショルダーストラップまたはウエストストラップが装着される基板部と、基板部に固定され、理美容鋏等を受け入れ可能な筒状のホルダー部と、を備えている。理容師または美容師（以下、使用者）は、シザーケースが自身の利き腕側に位置するように、ショルダーストラップを肩に掛けるか、またはウエストストラップを腰部に装着する。使用者は、自身の身体の側面近傍、具体的には腰部付近にシザーケースを携帯した状態で業務を行う。
【０００３】
図８〜図１１を参照して、従来のシザーケースの例について説明する。図８（Ａ）は、従来のシザーケースの一例を示す正面図である。この例のシザーケース１００は、基板部１０と、複数（図示の例では３つ）のホルダー部１２と、を有している。基板部１０は、図示しないショルダーストラップまたはウエストストラップが取り付けられる取付け部（図示の例では、金属製リング）１４を有している。各ホルダー部１２は、例えばカシメ金具１６等の留め具または縫い付けによって、基板部１０に固定される。図８（Ｂ）は、使用者から見た、使用中のシザーケース１００の上面図である。基板部１０の内側表面１８が、使用者の身体に面して配置される。ホルダー部１２が配置された外側表面２０は、使用者の身体とは反対の側に面して配置される。図８（Ｂ）には、理美容鋏等が挿入される、各ホルダー部１２の上部開口２１が示されている。図９は、図８（Ｂ）の部分拡大図であり、３つのホルダー部１２のうちの一つを示す。ホルダー部１２は、基板部１０とは別個のシート状部材から形成される。具体的には、図９に示すように、ホルダー部１２は、シート状部材を屈曲または湾曲させて重ね合わせた端部２２によって筒状にされ、当該端部２２がカシメ金具１６等によって基板部１０に固定される。換言すれば、基板部１０に固定された端部２２が、ホルダー部１２の固定部２３を形成する。固定部２３を除く部分、すなわち、ホルダー部１２の内部空間２４を画定する部分が、理美容鋏を保持する保持部２６として使用される。理美容鋏は、通常、鋏の先端部を保持部２６の先端２６ａの内側表面２８に沿って下方に向けてスライドさせるようにして挿入される。尚、理美容鋏を保護する目的で、通常、革生地がシート状部材として使用される。
【０００４】
上記したように、シザーケース１００は、使用者の利き腕側に位置するように、使用者の身体の側面近傍、具体的には腰部付近に保持される。使用者が右腕を利き腕とする場合、固定部２３が使用者の身体の背面に近い側（図８（Ｂ）では右側）に位置し、保持部２６は使用者の身体の前面に近い側（図８（Ｂ）では左側）に位置することになる。このとき、図８（Ｂ）に示されるように、各ホルダー部１２の固定部２３と固定部２３から延在する保持部２６の先端２６ａ（図９を参照）とを結ぶ仮想直線Ｌ１が、使用者が理美容鋏を出し入れする際の右手の自然な手首の角度に概ね沿っている。しかし、鋏を挿入する際の使用者の手または鋏の先端部が、ホルダー部１２の固定部２３と干渉し易い。従って、鋏の円滑な挿入が妨げられる。
【０００５】
図１０及び図１１は、従来のシザーケースの他の例を示す。図１０（Ａ）は、シザーケース２００の正面図である。図１０（Ｂ）は、使用者から見た、使用中のシザーケース２００の上面図である。図１１は、図１０（Ｂ）の部分拡大図である。シザーケース２００は、基板部１０に対するホルダー部１２の向きが異なることを除いて、シザーケース１００と実質的に同様の構成を有する。具体的には、シザーケース２００のホルダー部１２は、シザーケース１００のホルダー部１２に対して、左右方向に反転した向きで配置されている。使用者が右腕を利き腕とする場合には、ホルダー部１２の固定部２３が使用者の身体の前面に近い側（図１０（Ｂ）では左側）に位置し、保持部２６が使用者の身体の背面に近い側（図１０（Ｂ）では右側）に位置する。このとき、図１０（Ｂ）の仮想直線Ｌ２で示されるように、使用者は、鋏を挿入する際に右手首の角度を不自然に内側に曲げることが必要になる。従って、鋏の円滑な挿入が妨げられる。
【０００６】
使用者の利き腕が右腕である場合には、上記のシザーケース１００、２００を使用者の右側面近傍に保持し、使用することができる。一方、使用者の利き腕が左腕である場合には、上記のシザーケース１００、２００を使用者の左側面近傍に保持し、使用することができる。しかし、この場合も上記と同様の不都合が存在し鋏の円滑な挿入が妨げられる。
【考案の概要】
【考案が解決しようとする課題】
【０００７】
本考案は、理美容鋏等の理美容道具の出し入れを、ホルダー部の固定部と干渉することなく且つ自然な手首の角度で行うことができる、使い心地のよい、理美容道具のためのホルダー装置を提供することを一つの課題とする。
【課題を解決するための手段】
【０００８】
本考案の一実施形態によれば、理美容道具のためのホルダー装置を提供することができる。ホルダー装置は、使用時に使用者の身体側に配置される内側表面と、外側表面とを有する基板部と、基板部に固定され、基板部の外側表面を少なくとも部分的に覆うように配置されるカバー部と、基板部の外側表面とカバー部との間に配置される部分を含む筒状のホルダー部と、を備える。ホルダー部は、カバー部に固定される固定部と、理美容道具を保持する保持空間を画定する保持部と、を有し、使用時に、保持部が、固定部に対して使用者の身体の背面に近い側に位置する。
【考案の効果】
【０００９】
本考案の一実施形態によれば、理美容鋏等の理美容道具の出し入れを、ホルダー部の固定部と干渉することなく且つ自然な手首の角度で行うことができる、使い心地のよい、理美容道具のためのホルダー装置を提供することができる。
【図面の簡単な説明】
【００１０】
【図１】本考案の第１実施形態によるホルダー装置を示す正面図である。
【図２】本考案の第１実施形態によるホルダー装置を示す図であり、（Ａ）は背面図、（Ｂ）は上面図である。
【図３】図２（Ｂ）の部分拡大図であり、ホルダー部の構成の詳細を示す図である。
【図４】ホルダー部内の鋏の保持状態を示す図である。
【図５】ホルダー部の案内面を説明する図である。
【図６】本考案の第２実施形態によるホルダー装置を示す正面図である。
【図７】本考案の第２実施形態によるホルダー装置を示す図であり、（Ａ）は背面図、（Ｂ）は上面図である。
【図８】従来のシザーケースの例を示す図であり、（Ａ）は正面図、（Ｂ）は使用者から見た、使用中のシザーケースの上面図である。
【図９】図８（Ｂ）の部分拡大図である。
【図１０】従来のシザーケースの他の例を示す図であり、（Ａ）は正面図、（Ｂ）は使用者から見た、使用中のシザーケースの上面図である。
【図１１】図１０（Ｂ）の部分拡大図である。
【考案を実施するための形態】
【００１１】
以下、本考案の各実施形態について図面を参照して説明する。なお、以下の説明はあくまでも一例を示すものであって、本考案の技術的範囲を以下の実施形態に限定する趣旨ではない。また、図面では、同一または相当する構成要素には、同一の符号を付して重複した説明を省略する。また、「上」「下」等の方向を示す用語は、特に断りのない限り、図１に示すホルダー装置の向きに関して用いられる。
【００１２】
［第１実施形態］
図１〜図３は、本考案の第１実施形態によるホルダー装置３００を示す。図１は、ホルダー装置３００の正面図である。ホルダー装置３００は、各種の理美容鋏、櫛等（以下、理美容道具）を持ち運ぶために、理容師または美容師が、従来のシザーケース１００、２００に代えて使用することができる。
【００１３】
図１に示すように、ホルダー装置３００は、基板部３０と、基板部３０の外側表面４０を少なくとも部分的に覆うように基板部３０に固定されるカバー部３２と、基板部３０の外側表面４０とカバー部３２との間に配置されるホルダー部３４とを備える。基板部３０は、図示しないショルダーストラップまたはウエストストラップが取り付けられる取付け部（図示の例では、金属製リング）３６を有している。理容師または美容師（以下、使用者）は、ホルダー装置３００が自身の利き腕側に位置するように、ショルダーストラップを肩に掛けるか、またはウエストストラップを腰部に装着する。使用者は、自身の身体の側面近傍、具体的には腰部付近にホルダー装置３００を保持した状態で業務を行う。図２（Ａ）は、ホルダー装置３００の背面図である。図２（Ｂ）は、ホルダー装置３００の上面図であり、使用者から見た、使用中のホルダー装置３００の図である。使用時、ホルダー装置３００は、基板部３０の内側表面３８が使用者の身体側に（換言すれば、使用者の身体に面して）配置され、外側表面４０が使用者の身体と反対の側に配置される。理美容道具の一例として、理美容鋏を、図２（Ｂ）に示す上部開口４１からホルダー部３４に挿入することができる。図１に示すように、第１実施形態では、カバー部３２は、基板部３０の外側表面４０の大部分を覆うように、ホルダー部３４の上部開口４１より下方の位置からホルダー部３４の下端部３４ａより下側の位置まで延びている。しかし、カバー部３２は、ホルダー部３４を取り付けるのに十分な大きさを有していればよく、カバー部３２の寸法及び形状は特に限られない。例えば後述する第２実施形態に示すように、カバー部３２は、ホルダー部３４の下端部３４ａより上方で終端していてもよい。また、カバー部３２は、ホルダー部３４の上部開口４１を越えて上方に延びていてもよい。カバー部３２がホルダー部３４の下端部３４ａより下側の位置まで延びていることにより、髪を切った際に理美容鋏に付着する細かい毛が広範囲に床に散らばることを防ぐことができる。
【００１４】
図２（Ａ）、（Ｂ）に示すように、第１実施形態では、カバー部３２は、その左右方向端部が基板部３０の内側表面３８に接着剤等により固定されている。しかし、カバー部３２を基板部３０に固定する位置及び方法は特に限られない。カバー部３２は、基板部３０の外側表面４０に固定されてもよい。また、例えば、カシメ金具や縫い付けによる固定方法が考えられる。また、基板部３０及びカバー部３２を形成する素材は特に限られないが、一例として、革生地を使用することができる。
【００１５】
ホルダー部３２は、少なくとも部分的に、基板部３０の外側表面４０とカバー部３２との間に配置されるように、カバー部３２の内側表面４２に固定される。図中、４４は、ホルダー部３４をカバー部３２に固定するための固定手段としてのカシメ金具である。図示の例では、３つのホルダー部３４が並列してカバー部３２に固定されている。しかし、ホルダー部３４の数は特に限られない。カバー部３２に単一のホルダー部３４が取り付けられていてもよい。
【００１６】
図３は、図２（Ｂ）の部分拡大図であり、ホルダー部３４の詳細を示す。第１実施形態では、ホルダー部３４を革生地で形成することができる。具体的には、図３に示されるように、ホルダー部３４を、平坦なシート状の革生地を屈曲または湾曲させて重ね合わせた端部４６によって、筒状に形成することができる。重ね合わせた端部４６は、カバー部３２に対するホルダー部３４の固定部４８を形成する。固定部４８は、適宜の固定手段（図示の例ではカシメ金具４４）によって、カバー部３２に固定される。図３に示すように、ホルダー部３４は、カバー部３２に固定される固定部４８と、固定部４８に隣接して理美容道具の保持空間５０を画定する保持部５２と、を備えている。尚、固定部４８は、互いに部分的に重ね合わされた端部４６によって形成されていてもよい。この場合、一方の端部４６を、カバー部３２に固定された他方の端部４６にのみ固定するようにしてもよい。
【００１７】
図４は、ホルダー部３４を、ホルダー部３４に保持される理美容鋏と共に示す図であり、ホルダー部３４の向きは、図２（Ａ）の向きに対応している。図４に示すように、理美容鋏は、ホルダー部３４の保持部５２の上部開口４１から保持空間５０（図３参照）内に挿入され、保持空間５０内で保持される。ホルダー部３４の下端部３４ａは、閉じられていてもよく、閉じられていなくてもよい。保持空間５０は、理美容鋏の挿入方向（図４の矢印の方向）に先細りする部分を有することができる。これにより、挿入された理美容鋏を、閉じられたまま開かないように保持空間５０内に保持することができる。
【００１８】
上記したように、ホルダー装置３００は、使用者の利き腕側に位置するように、使用者の身体の側面近傍、具体的には腰部付近に保持される。使用者が右腕を利き腕とする場合、ホルダー部３４は、図２（Ｂ）の上面図に示される向きに位置するように保持される。すなわち、固定部４８が使用者の身体の前面に近い側（図２（Ｂ）では左側）に位置し、保持部５２は使用者の身体の背面に近い側（図２（Ｂ）では右側）に位置する。換言すれば、保持部５２が、固定部４８から使用者の身体の右側にずれた位置に配置される。これにより、従来技術における、理美容鋏の挿入時、使用者の手または理美容鋏の先端がホルダー部の固定部に干渉し易いという問題点を解決することができる。
【００１９】
また、図２（Ｂ）に示すように、ホルダー部３４の固定部４８と固定部４８から延在する保持部５２の先端５２ａ（図３参照）とを結ぶ仮想直線Ｌ３を、使用者が理美容鋏を出し入れする際の右手の自然な手首の角度に沿わせることができる。従って、使用者は、手首を不自然に曲げる必要なく、理美容鋏を挿入することができる。このように、第１実施形態によれば、理美容鋏の円滑な出し入れが可能になり、従って、理容師または美容師は、ストレスなく理容業務を遂行することができる。
【００２０】
ホルダー部３４は、革生地で形成することが好ましい。これにより、理美容鋏を痛めることなく保護することができる。この場合、ホルダー部３４をカバー部３２に固定する方法として、例えばカシメ金具４４等の金属製の留め具による固定、または糸による縫合等を使用することができる。説明の便宜上、図４には、カシメ金具４４と縫合糸６０とが示されている。しかし、固定は、留め具または縫合糸の一方のみによって行うことができる。
【００２１】
また、図５に示すように、保持部５２は、挿入された理美容鋏を長さ方向に案内する案内面５４を有することができる。案内面５４は、保持部５２の先端５２ａの内面により形成することができる。こうして、理美容鋏の先端部を案内面５４に沿って下方にスライドさせるようにして、保持空間５０内に挿入することができる。図５に示すように、案内面５４は、鉛直方向に対して使用者の身体の前面側（図５の左側）に傾斜するように下方に延びていることが好ましい。これにより、理美容鋏の挿入方向を、使用者の自然な手首の角度により近い角度にすることができるので、理美容鋏をよりスムーズに挿入することができる。挿入時に理美容鋏をカシメ金具４４によって痛めたり、理美容鋏の先端が縫合糸６０を切断したりすることを防ぐため、例えば図４に示すように、カシメ金具４４または縫合糸６０は、保持空間５０の下部から離れた位置に設けることが好ましい。
【００２２】
［第２実施形態］
図６及び図７は、本考案の第２実施形態によるホルダー装置４００を示す。図６は、ホルダー装置４００の正面図である。図７（Ａ）は、ホルダー装置４００の背面図である。図７（Ｂ）は、ホルダー装置４００の上面図であり、使用者から見た、使用中のホルダー装置４００の図である。第２実施形態によるホルダー装置４００は、カバー部３２の代わりにカバー部７０を有し、ホルダー部３４が、カバー部７０の内側表面７２に固定されていることを除いて、第１実施形態のホルダー装置３００と実質的に同様の構成を有している。従って、ホルダー部３４は、カバー部７０に固定されていることを除いて、図３に参照して説明した構成と同様の構成を有している。図６及び図７では、ホルダー装置３００と同様の構成については同様の符号を付し、詳しい説明は省略する。また、ホルダー部３４の詳細については図３を参照することができる。
【００２３】
図６に示すように、ホルダー装置４００のカバー部７０は、ホルダー部３４の上部開口４１より下方の位置から延び、ホルダー部３４の下端３４ａより上方の位置で終端することができる。また、カバー部７０は、カシメ金具８０等の留め具によって、基板部３０の外側表面４０に固定することができる。しかし、ホルダー部３４を固定することができる限り、カバー部７０の寸法及び形状は特に限られない。また、カバー部７０を基板部３０に固定する位置及び方法も特に限られない。例えば、カバー部７０は、基板部３０の内側表面３８に固定されるように左右方向に延びていてもよい。第２実施形態のカバー部７０は、単に、ホルダー部３４が固定される取り付け用のパーツとして機能することができる。これにより、カバー部７０を高価な革生地で作成する場合に材料コストを低減することができる。
【００２４】
ホルダー装置４００は、使用者の利き腕側に位置するように、使用者の身体の側面近傍、具体的には腰部付近に保持される。使用者が右腕を利き腕とする場合、ホルダー部３４は、図７（Ｂ）の上面図に示される向きに位置するように保持される。すなわち、固定部４８が使用者の身体の前面に近い側（図７（Ｂ）では左側）に位置し、保持部５２は使用者の身体の背面に近い側（図７（Ｂ）では右側）に位置することになる。換言すれば、保持部５２が、固定部４８から使用者の身体の右側にずれた位置に配置される。これにより、従来技術における、理美容鋏の挿入時、使用者の手または理美容鋏の先端がホルダー部の固定部に干渉し易いという問題点を解決することができる。
【００２５】
また、図７（Ｂ）に示すように、ホルダー部３４の固定部４８と固定部４８から延在する保持部５２の先端５２ａ（図３参照）とを結ぶ仮想直線Ｌ３を、使用者が理美容鋏を出し入れする際の右手の自然な手首の角度に沿わせることができる。従って、使用者は、手首を不自然に曲げる必要なく、理美容鋏を挿入することができる。このように、第２実施形態においても、理美容鋏の円滑な出し入れが可能になり、従って、理容師または美容師は、ストレスなく理容業務を遂行することができる。
【００２６】
以上、図１〜図７を参照して本考案の第１及び第２実施形態を説明したが、図示されるホルダー部３４の向きは、使用者の利き腕が右腕である場合の例である。ホルダー部３４の向きは、使用者の利き腕に応じて適宜変更することができる。すなわち、ホルダー部３４は、使用時（すなわち、基板部３０の内側表面３８が使用者の身体側に配置された時）に、保持部５２が固定部４８に対して使用者の身体の背面に近い側に位置するように、カバー部３２、７０に固定されていればよい。使用者の利き腕が左腕である場合には、ホルダー部３４は、図示の向きに対し左右方向に反転した向きでカバー部３２、７０に固定することができる。これにより、使用時のホルダー部３４の保持部５２を、固定部４８に対して使用者の身体の背面に近い側（すなわち、図２（Ｂ）または図７（Ｂ）における左側）に配置することができる。換言すれば、本考案の各実施形態において、ホルダー部３４の保持部５２は、使用者の利き腕に応じて、固定部４８から使用者の身体の右側及び左側のいずれか一方にずれた位置に配置されることができる。
【００２７】
以上、本考案の実施の形態について説明してきたが、上記した考案の実施形態は、本考案の理解を容易にするためのものであり、本考案を限定するものではない。本考案は、その趣旨を逸脱することなく、変更、改良され得るとともに、本考案にはその均等物が含まれることはもちろんである。また、上述した課題の少なくとも一部を解決できる範囲、または、効果の少なくとも一部を奏する範囲において、登録請求の範囲および明細書に記載された各構成要素の任意の組み合わせ、または、省略が可能である。
【符号の説明】
【００２８】
Ｌ１、Ｌ２、Ｌ３  仮想直線
１０  基板部
１２  ホルダー部
１４  取付け部
１６  カシメ金具
１８  内側表面
２０  外側表面
２１  上部開口
２２  端部
２３  固定部
２４  内部空間
２６  保持部
２６ａ  先端
２８  内側表面
３０  基板部
３２  カバー部
３４  ホルダー部
３４ａ  下端
３６  取付け部
４４  カシメ金具
３８  内側表面
４０  外側表面
４１  上部開口
４２  内側表面
４６  端部
４８  固定部
５０  保持空間
５２  保持部
５２ａ  先端
５４  案内面
６０  縫合糸
７０  カバー部
７２  内側表面
８０  カシメ金具
１００、２００  シザーケース
３００、４００  ホルダー装置
【図１】
0003220990.tif 000003
【図２】
0003220990.tif 000004
【図３】
0003220990.tif 000005
【図４】
0003220990.tif 000006
【図５】
0003220990.tif 000007
【図６】
0003220990.tif 000008
【図７】
0003220990.tif 000009
【図８】
0003220990.tif 000010
【図９】
0003220990.tif 000011
【図１０】
0003220990.tif 000012
【図１１】
0003220990.tif 000013